(57)【要約】【課題】  媒体パックからの記録媒体の不用意な飛び出しを防止することができるプリンタを提供する。【解決手段】  プリンタを誤って落下した場合であっても、パック室２２に装填されたフイルムパック５００からのインスタントフイルムシート送出口５０３の前面に位置したフイルム飛出防止部材６００でインスタントフイルムシートがフイルムパック５００の外部に飛び出してしまうという現象を防止するとともに、インスタントフイルムシート上に画像の記録を行なう場合は、クロー２４の動きに連動してカム９００が矢印Ａ方向に回動することによりクロー作動部材８００の傾斜部８００ａが部材移動機構７００の端部７００ａに当接することによりフイルム飛出防止部材６００を送出口５０３の前面から退避させる。【選択図】  図１２
2007055151.tif 000002
【特許請求の範囲】
【請求項１】
画像が記録される記録媒体を所定の搬送方向に搬送しながら該記録媒体に画像を書き込むことにより該記録媒体上に画像を記録するプリンタにおいて、
前記記録媒体が複数枚重ねられて収容された媒体パックが装填されるパック室と、
前記パック室に装填された記録媒体のうちの１枚分の記録媒体の搬送方向後端に係止し該記録媒体を該搬送方向に掻き上げて元の待機位置に戻るクローと、
前記クローにより掻き上げられてきた記録媒体の搬送を引き継ぐ搬送ローラと、
前記パック室に装填された媒体パックからの記録媒体の送出口前面に位置し、該媒体パックからの記録媒体の不用意な飛び出しを防止するフイルム飛出防止部材とを備えたことを特徴とするプリンタ。
【請求項２】
前記フイルム飛出防止部材を前記クローによる記録媒体の掻き上げに連動して前記送出口前面から退避させ該記録媒体の搬送終了後に該送出口前面に戻す部材移動機構を有することを特徴とする請求項１記載のプリンタ。
【発明の詳細な説明】
【技術分野】
【０００１】
本発明は、画像が記録される記録媒体を所定の搬送方向に搬送しながらその記録媒体に画像を書き込むことによりその記録媒体上に画像を記録するプリンタに関する。
【背景技術】
【０００２】
従来より、上述したプリンタの一例として、インスタントフイルムシート上に画像を記録するプリンタが知られている。このタイプのプリンタには、インスタントフイルムシートが複数枚重ねられて収容されたフイルムパックが装填されるパック室と、そのパック室に装填されたフイルムパックのうちの１枚分のインスタントフイルムシートの搬送方向後端に係止してそのインスタントフイルムシートをその搬送方向に掻き上げて元の待機位置に戻るクロー（爪）が備えられている。インスタントフイルムシート上に画像を記録するには、フイルムパック内のインスタントフイルムシートのうちの、１枚目のインスタントフイルムシートの搬送方向後端を上記クローで掻き上げて搬送ローラで搬送し、そのインスタントフイルムシートにレッド（Ｒ）,グリーン（Ｇ）,ブルー（Ｂ）の発光色を持つ発光素子からの３つの色光を循環的に照射して潜像を書き込み、さらにそのインスタントフイルムシートが有する現像剤溜りを展開ローラで押し潰して現像剤を展開することにより行なう（例えば、特許文献１参照）。
【特許文献１】特開２００２−２２１７６１号公報
【発明の開示】
【発明が解決しようとする課題】
【０００３】
上述したプリンタのパック室内に装填されるフイルムパックには、そのフイルムパックの、インスタントフイルムシートが送り出される先端部に、インスタントフイルムシートを遮光するためのシール部材が接着剤で貼り付けられている。フイルムパック内の最初のインスタントフイルムシートが送り出される際に、このシール部材の一部が捲れて、最初のインスタントフイルムシートが送り出される。このように、シール部材の接着強度は、インスタントフイルムシートをフイルムパック内部から送り出す際に剥がれる程度の弱いものである。
【０００４】
ここで、プリンタを誤って落下した場合であって、そのプリンタの落下方向と、未使用のフイルムパックの、インスタントフイルムシートが送り出される方向とが一致するような状態で落下した場合、上記シール部材がインスタントフイルムシート（第１のシートと称する）に押されてフイルムパックの先端部から剥がれ、さらにその第１のシートがフイルムパックの外部に飛び出してしまうという現象が発生する。また、使用中のフイルムパックにおいては、上記シール部材は剥がれた状態にあり且つインスタントフイルムシート同士の摩擦力は小さく、このためプリンタを誤って落下した場合、第１のシートはフイルムパックの外部に容易に飛び出してしまうという現象が発生する。
【０００５】
このような場合、第１のシートの搬送方向先端は搬送ローラに当接し、その第１のシートの搬送方向後端はクローの係合位置から外れた状態になる。この状態において、第１のシート上に画像を記録するために、その第１のシートをクローで掻き上げようとしても、クローは第１のシートの搬送方向後端に係合することはなく、次のインスタントフイルムシート（第２のシートと称する）の搬送方向後端に係合する。さらに、クローは第２のシートを掻き上げて第１のシートの搬送方向後端まで移動する。このとき、クローは、第１，第２のシートのいずれのシートにも係合することなく外れた状態になるか、あるいは第１，第２のシートの双方を搬送する状態になる。前者の場合は、インスタントフイルムシートの搬送が行なわれないこととなる。一方、後者の場合は１枚分のインスタントフイルムシートの隙間しかない一対の搬送ローラに達した時点で駆動機構が停止する。
【０００６】
ここで、ユーザが異常に気づいて裏蓋を開けてフイルムパックを取り出そうとしても、既にインスタントフイルムシートの先端がフイルムパックから飛び出してプリンタ内部に送り込まれている状態にあるため、フイルムパックを簡単に取り出すことは困難である。このように、従来の、インスタントフイルムシート等の記録媒体が複数枚重ねられて収容された媒体パックが装填されるプリンタでは、そのプリンタを誤って落下した場合、媒体パックから記録媒体が不用意に飛び出してしまうという問題を抱えている。
【０００７】
本発明は、上記事情に鑑み、媒体パックからの記録媒体の不用意な飛び出しを防止することができるプリンタを提供することを目的とする。
【課題を解決するための手段】
【０００８】
上記目的を達成する本発明のプリンタは、画像が記録される記録媒体を所定の搬送方向に搬送しながらその記録媒体に画像を書き込むことによりその記録媒体上に画像を記録するプリンタにおいて、
上記記録媒体が複数枚重ねられて収容された媒体パックが装填されるパック室と、
上記パック室に装填された記録媒体のうちの１枚分の記録媒体の搬送方向後端に係止しその記録媒体をその搬送方向に掻き上げて元の待機位置に戻るクローと、
上記クローにより掻き上げられてきた記録媒体の搬送を引き継ぐ搬送ローラと、
上記パック室に装填された媒体パックからの記録媒体の送出口前面に位置し、その媒体パックからの記録媒体の不用意な飛び出しを防止するフイルム飛出防止部材とを備えたことを特徴とする。
【０００９】
本発明のプリンタは、記録媒体が複数枚重ねられて収容された媒体パックからの記録媒体の送出口前面に位置し、その媒体パックからの記録媒体の不用意な飛び出しを防止するフイルム飛出防止部材を備えたものであるため、本発明のプリンタを誤って落下した場合であっても、そのフイルム飛出防止部材で媒体パックからの記録媒体の不用意な飛び出しが抑えられる。従って、記録媒体が媒体パックの外部に飛び出すことに起因して記録媒体が搬送されなかったり記録媒体搬送機構が停止するという現象を回避することができる。
【００１０】
ここで、上記フイルム飛出防止部材を上記クローによる記録媒体の掻き上げに連動して上記送出口前面から退避させその記録媒体の搬送終了後にその送出口前面に戻す部材移動機構を有することが好ましい。
【００１１】
このような部材移動機構を有すると、本発明のプリンタを誤って落下した場合であってもフイルム飛出防止部材により記録媒体が媒体パックの外部に飛び出してしまうという現象を防止することができるとともに、記録媒体上に画像の記録を行なう場合は、フイルム飛出防止部材を媒体パックの送出口前面から退避させることができる。
【発明の効果】
【００１２】
本発明のプリンタによれば、媒体パックからの記録媒体の不用意な飛び出しを防止することができる。
【発明を実施するための最良の形態】
【００１３】
以下、本発明の実施形態について説明する。
【００１４】
図１は、本発明の一実施形態のプリンタを、斜め前方から見た斜視図である。
【００１５】
このプリンタ１は、携帯電話などと組み合わされて使用されるものであって、露光により潜像が形成され送り出しの際に処理液が展開されて顕像化されるインスタントフイルムシートが複数枚（ここでは１０枚として説明する）積層されたインスタントフイルムパック（本発明にいう媒体パックの一例に相当）がパック室に装填され、そのインスタントフイルムシートを画像データに応じて露光して外部に送り出しながらそのインスタントフイルムシートに処理液を展開するものである。このインスタントフイルムシートが本発明にいう記録媒体の一例に相当する。
【００１６】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたは電子メールなどで携帯電話に送信されてきた画像データが赤外線通信を用いてこのプリンタ１に送信されてきたときに、その画像データに基づいてインスタントフイルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフイルムシート上に行なえるものである。
【００１７】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフイルムパックが装填され、そのインスタントフイルムパック内の、積層された１０枚のインスタントフイルムシート一枚一枚に画像の記録が行なわれる。
【００１８】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフイルムシートの残り枚数を示すカウンタ１３が設けられている。このカウンタ１３は機械式のカウンタであり、未使用のインスタントフイルムパックが装填されると残り枚数が１０枚であることを示す数値‘１０’が表示される。以下、インスタントフイルムシートに画像の記録が行なわれる度に枚数が減算された残り枚数を示す数値が表示され、１０枚目のインスタントフイルムシートに画像の記録が行なわれると残り枚数が０枚であることを示す数値‘０’が表示される。尚、インスタントフイルムパックが抜かれた場合は、何も表示されないブランク状態となる。
【００１９】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２０】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２１】
また、プリンタ１の側面には、そのプリンタ１の下面側に設けられた後述するフイルムドアを開放するためのフイルムドア開放スイッチ１８が備えられており、コーナー部にはストラップ取付部１ｂが備えられている。
【００２２】
図２は、図１に示すプリンタにおいて、カメラ付き携帯電話からの画像データに基づいて画像が記録されたインスタントフイルムシートが排出される様子を示す図である。
【００２３】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフイルムシート１００１上に行ないながら、そのインスタントフイルムシート１００１を顕像しつつ、プリンタ１の送出口１９から外部へ徐々に排出する。その後、リピートＳＷ１２が操作されたときにも、その画像と同じ画像の再記録が別のインスタントフイルムシート上に行なわれる。
【００２４】
図３は、図１に示すプリンタの下面側を斜め上方から見た斜視図である。
【００２５】
このプリンタ１の下面側には、図１に示すフイルムドア開放スイッチ１８の操作により開放されるフイルムドア２０が設けられており、このフイルムドア２０が開けられ、インスタントフイルムパックがパック室に装填される。また、フイルムドア２０には、インスタントフイルムパックが装填されているか否かを確認するためのパック在否確認窓２０ａが設けられている。さらに、フイルムドア２０に隣接して、このプリンタ１の電源となる電池を実装するために開放される電池蓋２１も設けられている。
【００２６】
図４は、図３に示すプリンタの、フイルムドアが開けられた状態の斜視図である。
【００２７】
フイルムドア２０の内側には、前述したパック在否確認窓２０ａと、バネ部材２０ｂ,２０ｃが設けられており、これらのバネ部材２０ｂ，２０ｃによってインスタントフイルムパック内に積層されたインスタントフイルムシートがプリンタ１の上面側に押圧される。
【００２８】
また、プリンタ１には、インスタントフイルムパックを装填するためのパック室２２が設けられている。パック室２２外の、図４における右側には、搬送するインスタントフイルムシートに画像を書き込む画像書込部３００および媒体搬送展開部３０が設けられている。これら画像書込部３００および媒体搬送展開部３０の詳細については後述する。また、パック室２２内の、図４における下方には、インスタントフイルムシートを画像書込部３００および媒体搬送展開部３０側に送り出させるためのクロー（爪）２４が設けられている。このクロー２４は、パック室２２に装填されたインスタントフイルムシートのうちの１枚分のインスタントフイルムシートの搬送方向後端に係止しそのインスタントフイルムシートをその搬送方向に掻き上げて元の待機位置に戻る部材である。このような構成によって、インスタントフイルムパック内のインスタントフイルムシートのうちの、プリンタ１の一番上面側にあるインスタントフイルムシートがクロー２４で掻き上げられて媒体搬送展開部３０で搬送されながら画像書込部３００で画像が書き込まれて現像される。
【００２９】
図５は、図４に示すプリンタを裏面から見た場合の、筐体が取り外された状態の斜視図である。
【００３０】
図５には、直流モータ４０６と、その直流モータ４０６からの回転駆動力を後述する搬送ローラおよび展開ローラに伝達するギア列３９を備えた媒体搬送展開部３０が示されている。また、この図５には、パック室２２内に設けられたクロー２４も示されている。
【００３１】
図６は、本実施形態のプリンタに使用するインスタントフイルムパックの表面を示す斜視図、図７は、図６に示すインスタントフイルムパックの裏面を示す斜視図である。
【００３２】
図６に示すように、このインスタントフィルムパック５００の表面５０１には、前述したバネ部材２０ｂ，２０ｃが進入するための開口５０１ａ，５０１ｂが設けられている。
【００３３】
また、図６、図７に示すように、このインスタントフィルムパック５００の端面５０２には、スリット状のインスタントフィルム送出口５０３が設けられており、そのインスタントフィルム送出口５０３を外部から遮光する遮光シール５０４が、そのインスタントフィルム送出口５０３を塞ぐように貼り付けられている。尚、インスタントフィルムがインスタントフィルム送出口５０３から送り出される際には、この遮光シール５０４の一部が捲れて、インスタントフィルムが送り出される。
【００３４】
さらに、図７に示すように、このインスタントフィルムパック５００の裏面５０５には、このインスタントフィルムパック５００が未使用にあるか否かを示す確認窓５０５ａが設けられている。この確認窓５０５ａは、インスタントフィルムパック５００が未使用である場合はマーク５０５ｂまで閉じた状態にあり、インスタントフィルムパック５００が使用されるとマーク５０５ｃまで開いた状態となる。
【００３５】
このインスタントフィルムパック５００は、このプリンタ１のパック室２２内に装填され、そのインスタントフイルムパック５００内の、積層された１０枚のインスタントフイルム一枚一枚に画像の記録が行なわれる。
【００３６】
図８は、図６，図７に示すインスタントフイルムパック内のインスタントフイルムシートの露光面を示す斜視図、図９は、図８に示すインスタントフイルムシートの観察面を示す斜視図である。
【００３７】
図８には、インスタントフイルムシート１００１の露光面１００１＿１が示されている。この露光面１００１＿１には、インスタントフイルムシート１００１の搬送方向先端部に配備された処理液溜り１００１ａと、画像が露光される露光部１００１ｂと、余白部１００１ｃと、余った処理液を吸収するトラップ部１００１ｄとが設けられている。また、図９には、インスタントフイルムシート１００１の観察面１００１＿２側が示されている。この観察面１００１＿２には、露光により潜像が形成され処理液の展開を受けて顕像化された画像を観察するための観察部１００１ｅと、余白部１００１ｆが設けられている。
【００３８】
図１０は、本実施形態のプリンタにおける媒体搬送展開部の断面図である。
【００３９】
媒体搬送展開部３０には、インスタントフイルムシート１００１の両側部を挟んでそのインスタントフイルムシート１００１を搬送する一対の搬送ローラ３１，３２が備えられている。搬送ローラ３２は、バネ部材３５＿１で搬送ローラ３１側に付勢されている。ここで、一対の搬送ローラ３１，３２の隙間は、インスタントフイルムシート１００１一枚分の厚みより大きく、且つ二枚分の厚みよりも小さく設定されている。
【００４０】
また、媒体搬送展開部３０には、上記一対の搬送ローラ３１，３２よりもインスタントフイルムシート１００１の搬送方向下流側に配備され、そのインスタントフイルムシート１００１を全幅に亘って挟んで処理液溜り１００１ａを押し潰して処理液を展開する一対の展開ローラ３３，３４が備えられている。展開ローラ３４は、バネ部材３５＿２で展開ローラ３３側に付勢されている。
【００４１】
さらに、媒体搬送展開部３０には、搬送ローラ３１,３２と展開ローラ３３,３４との間に位置して展開中の処理液を制御するための制御板３６,３７と、インスタントフイルムシート１００１を案内するためのフイルム案内フレーム３８が備えられている。また、インスタントフイルムパック５００の出口近傍には、後述するフイルム飛出部材６００および画像書込部３００が備えられている。
【００４２】
本実施形態のプリンタ１は、インスタントフイルムパック５００内のインスタントフイルムシート１００１のうちの、プリンタ１の一番上面側にあるインスタントフイルムシート１００１を、所定の搬送開始点Ｐｓからクロー２４（図４参照）で掻き上げて、搬送ローラ３１，３２で搬送しながら画像書込部３００で固定書込点Ｐｆにて画像を書き込み始める。さらに、このプリンタ１は、インスタントフイルムシート１００１に画像を書き込みながら搬送ローラ３１，３２でインスタントフイルムシート１００１を搬送し、展開ローラ３３，３４で処理液溜り１００１ａを押し潰して処理液を展開し、展開中の処理液を制御板３６,３７で制御して現像を行なって所定の搬送終了点Ｐｅまで搬送する。
【００４３】
前述したように、このプリンタ１のパック室２２内に装填されるフイルムパック５００には、そのフイルムパック５００の、インスタントフイルムシート１００１が送り出される先端部に、インスタントフイルムシート１００１を遮光するためのシール部材５０４が接着剤で貼り付けられている。フイルムパック５００内の１枚目のインスタントフイルムシート１００１が送り出される際に、このシール部材５０４の一部が捲れて、１枚目のインスタントフイルムシート１００１が送り出される。このように、シール部材５０４の接着強度は、インスタントフイルムシート１００１をフイルムパック５００から送り出す際に剥がれる程度の弱いものである。
【００４４】
図１１は、比較例としてのプリンタの、フイルムパックからのインスタントフイルムシートの不用意な飛び出しを説明するための図である。
【００４５】
従来では、プリンタを誤って落下した場合であって、そのプリンタの落下方向と、未使用のフイルムパック５００の、インスタントフイルムシートが送り出される方向とが一致するような状態で落下した場合、シール部材５０４がインスタントフイルムシート１００１＿１に押されてフイルムパック５００の先端部から剥がれ、さらにそのインスタントフイルムシート１００１がフイルムパック５００の外部に飛び出してしまうという現象が発生する。また、使用中のフイルムパック５００においては、シール部材５０４は剥がれた状態にあり且つインスタントフイルムシート１００１，１００２同士の摩擦力は小さく、このためプリンタを誤って落下した場合、インスタントフイルムシート１００１がフイルムパック５００の外部に容易に飛び出してしまうという現象が発生する。
【００４６】
このような場合、インスタントフイルムシート１００１の搬送方向先端は搬送ローラ３１，３２に当接し、そのインスタントフイルムシート１００１の搬送方向後端はクロー２４の係合位置から外れた状態になる。この状態において、インスタントフイルムシート１００１上に画像を記録するために、そのインスタントフイルムシート１００１をクロー２４で掻き上げようとしても、クロー２４はインスタントフイルムシート１００１の搬送方向後端に係合することはなく、次のインスタントフイルムシート１００２の搬送方向後端に係合する。さらに、クロー２４はインスタントフイルムシート１００２を掻き上げてインスタントフイルムシート１００１の搬送方向後端まで移動する。このとき、クロー２４は、インスタントフイルムシート１００１，１００２のいずれのシートにも係合することなく外れた状態になるか、あるいはインスタントフイルムシート１００１，１００２の双方を搬送する状態になる。前者の場合は、インスタントフイルムシート１００１＿１の搬送が行なわれないこととなる。一方、後者の場合は１枚分のインスタントフイルムシートの隙間しかない一対の搬送ローラ３１，３２に達した時点で駆動機構が停止する。
【００４７】
ここで、ユーザが異常に気づいて裏蓋を開けてフイルムパック５００を取り出そうとしても、既にインスタントフイルムシート１００１の先端がフイルムパック５００から飛び出してプリンタの内部に送り込まれている状態にあるため、フイルムパック５００を簡単に取り出すことは困難である。
【００４８】
本実施形態のプリンタ１では、以下に説明する構成により、フイルムパック５００からのインスタントフイルムシート１００１の不用意な飛び出しを防止することができる。
【００４９】
図１２は、本実施形態のプリンタを表面側から見た場合の、筐体が取り外された状態の斜視図である。
【００５０】
このプリンタ１には、フイルムパック５００が装填されるパック室２２が内包された箱体５１と、その箱体５１の内面に配備されたフイルム飛出防止部材６００が設けられている。フイルム飛出防止部材６００は、パック室２２に装填されたフイルムパック５００からのインスタントフイルムシート１００１の送出口５０３前面に位置し、フイルムパック５００からのインスタントフイルムシート１００１の不用意な飛び出しを防止する部材である。また、この図１２に示すように、フイルム飛出防止部材６００は、パック室２２と画像書込部３００の間を遮るような形状を有する。このため、フイルムパック５００交換時等にパック室２２からゴミ等の異物が画像書込部３００の露光ヘッド等に進入することを防止することができる。
【００５１】
また、このプリンタ１には、箱体５１の上面に配備された部材移動機構７００、クロー作動部材８００、およびカム９００が設けられている。部材移動機構７００は、フイルム飛出防止部材６００をクロー２４によるインスタントフイルムシート１００１の掻き上げに連動して送出口５０３前面から退避させそのインスタントフイルムシート１００１の搬送終了後に送出口５０３前面に戻す機構である。以下、図１２および図１３を参照して説明する。
【００５２】
図１３は、本実施形態のプリンタにおける、フイルムパックからのインスタントフイルムシートの不用意な飛び出しを防止するための説明図である。
【００５３】
図１３（ａ）には、１０枚のインスタントフイルムシート（ここでは、例示的に３枚のインスタントフイルムシート１００１，１００２，１００３を示す）が積層された未使用のフイルムパック５００と、そのフイルムパック５００からのインスタントフイルムシート１００１の送出口前面に位置したフイルム飛出防止部材６００が示されている。このため、本実施形態のプリンタ１を誤って落下した場合であって、そのプリンタ１の落下方向と、フイルムパック５００の、インスタントフイルムシートが送り出される方向とが一致するような状態で落下した場合であっても、フイルム飛出防止部材６００によりインスタントフイルムシート１００１がフイルムパック５００の外部に飛び出して、そのインスタントフイルムシート１００１の搬送方向先端が搬送ローラ３１，３２に当接するという現象が防止される。
【００５４】
このインスタントフイルムシート１００１上に画像の記録を行なう場合は、図１３（ｂ）に示すようにクロー２４が矢印Ａ方向に移動する。すると、このクロー２４の動きに連動して、図１２に示すカム９００が矢印Ａ方向に回動することによりクロー作動部材８００がこの図１２の上部に移動し、クロー作動部材８００の傾斜部８００ａが部材移動機構７００の端部７００ａに当接する。すると、フイルム飛出防止部材６００は、図１３（ｂ）に示すように矢印Ｂ方向に退避する。このようにして、フイルム飛出防止部材６００がフイルムパック５００の送出口５０３前面から退避する。この状態で、インスタントフイルムシート１００１がクロー２４で掻き上げられて搬送ローラ３１，３２で搬送されながら画像書込部３００で画像が書き込まれて現像される。その後、カム９００が矢印Ａ方向にさらに回動することによりそのフイルム飛出防止部材６００がフイルムパック５００の送出口５０３前面に戻される。
【００５５】
図１４は、プリンタ内部の制御系統を示す構成ブロック図である。
【００５６】
図１４の右端側には、図１に示すプリンタ１の模式図が示されており、この右端部を除く全域に、このプリンタ１の制御系統を示す構成が示されている。尚、図１４に示す矢印は、このプリンタ１における、制御系統を示す構成要素それぞれの配置関係を示す。
【００５７】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、送受信部１４に設けられたＩｒＤＡ送受信部４０５と、直流モータ４０６とが備えられている。
【００５８】
サブ基板部２００には、図１にも示す電源ＳＷ１１，リピートＳＷ１２、および表示用ＬＥＤ部２０１が備えられている。表示用ＬＥＤ部２０１には、電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００５９】
画像書込部３００には、光ガイドや液晶シャッタ（ＬＣＳ）等を有する光ヘッド部３０１と、その光ヘッド部３０１とメイン基板部１００とを接続するフレキシブルケーブル３０２,３０３と、フレキシブルケーブル３０３に実装されたレッド（Ｒ）,グリーン（Ｇ）,ブルー（Ｂ）の発光色を持つ発光素子（ＬＥＤ）３０４,３０５,３０６とが備えられている。この画像書込部３００は、搬送途中のインスタントフイルムシートに、書込指示パルスに同期して送受信部１４により受信した画像データに基づいて、ＬＥＤ３０４,３０５,３０６からのＲ，Ｇ，Ｂの３つの色光を循環的に照射することにより、そのインスタントフイルムシートに潜像を書き込む。また、プリンタ１には、３Ｖ用の一次電池４０７が２個内蔵される。
【００６０】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００６１】
ＭＰＵ１０１は、このプリンタ１の動作を統括的に制御する。
【００６２】
発振子１０２は、所定の周波数の発振信号を生成してＭＰＵ１０１に動作用のクロック信号として供給する。
【００６３】
リセット回路１０３は、ＭＰＵ１０１の初期化を行なうためのリセット信号を出力する。
【００６４】
フラッシュメモリ１０４は、不揮発性のメモリであり、このフラッシュメモリ１０４には、プリンタ１固有の機構等に依存して定まる固体差調整用の調整値等が記憶される。
【００６５】
ＳＤＲＡＭ１０５は、揮発性のメモリであり、このＳＤＲＡＭ１０５には、カメラ付き携帯電話２からの画像データ等が記憶される。
【００６６】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００６７】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフイルムシートに画像を記録し、速やかに通常の動作モードからスタンバイモードに移行する。また、リピートＳＷ１２が押された場合もインスタントフイルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００６８】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００６９】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００７０】
ＴＰＧ部１１１は、ＤＣ／ＤＣコンバータ１０８から出力される１５Ｖの電圧をオン，オフする。
【００７１】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００７２】
発振子１１３は、所定の周波数の発振信号を生成してＩｒＤＡ／ＬＣＳ制御部１１４に供給する。
【００７３】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００７４】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００７５】
本実施形態のプリンタ１は、インスタントフイルムシート１００１を直流モータ４０６で所定の副走査方向（インスタントフイルムシート１００１が送り出される方向）に送りながら、そのインスタントフイルムシート１００１上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフイルムシート１００１上にカラー画像を記録する。
【００７６】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフイルムシート上に照射され、インスタントフイルムシート１００１の幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフイルムシート１００１上に記録される。この光学ヘッド部３０１の電子走査によってインスタントフイルムシート１００１の主走査方向に多数のドットからなる光点が記録される。また、上述したように、本実施形態では、直流モータ４０６によりインスタントフイルムシート１００１が副走査方向に送られている。従って、副走査方向についても画像書込部３００によって多数のドット毎に光点が順次記録されていくこととなる。
【００７７】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００７８】
ＦＰＩ部４０１は、インスタントフイルムシート１００１の有無を検出するためのフォトインタラプタである。
【００７９】
ＥＮＣＰＩ部４０２は、直流モータ４０６の回転に同期したパルス列からなるエンコード信号を出力するためのフォトインタラプタである。
【００８０】
ＣＯＵＮＴＰＩ部４０３は、カウンタ１３がリセット状態（インスタントフイルムパックが抜かれた状態）を検知するためのフォトインタラプタである。
【００８１】
また、メイン基板部１００には、カムスイッチ４０４が接続されている。このカムスイッチ４０４は、このプリンタ１の搬送機構における初期位置をモニタするためのスイッチである。
【００８２】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００８３】
尚、本実施形態では、記録媒体としてインスタントフイルムシートの例で説明したが、これに限られるものではなく、本発明にいう記録媒体は、画像が記録される記録媒体であればよい。
【図面の簡単な説明】
【００８４】
【図１】本発明の一実施形態のプリンタを、斜め前方から見た斜視図である。
【図２】図１に示すプリンタにおいて、カメラ付き携帯電話からの画像データに基づいて画像が記録されたインスタントフイルムシートが排出される様子を示す図である。
【図３】図１に示すプリンタの下面側を斜め上方から見た斜視図である。
【図４】図３に示すプリンタの、フイルムドアが開けられた状態の斜視図である。
【図５】図４に示すプリンタを裏面から見た場合の、筐体が取り外された状態の斜視図である。
【図６】本実施形態のプリンタに使用するインスタントフイルムパックの表面を示す斜視図である。
【図７】図６に示すインスタントフイルムパックの裏面を示す斜視図である。
【図８】図６，図７に示すインスタントフイルムパック内のインスタントフイルムシートの露光面を示す斜視図である。
【図９】図８に示すインスタントフイルムシートの観察面を示す斜視図である。
【図１０】本実施形態のプリンタにおける媒体搬送展開部の断面図である。
【図１１】比較例としてのプリンタの、フイルムパックからのインスタントフイルムシートの不用意な飛び出しを説明するための図である。
【図１２】本実施形態のプリンタを表面側から見た場合の、筐体が取り外された状態の斜視図である。
【図１３】本実施形態のプリンタにおける、フイルムパックからのインスタントフイルムシートの不用意な飛び出しを防止するための説明図である。
【図１４】プリンタ内部の制御系統を示す構成ブロック図である。
【符号の説明】
【００８５】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１４  送受信部
１５  電源用ＬＥＤ
１６  通信エラー用ＬＥＤ
１７  ローバッテリ表示用のＬＥＤ
１８  フイルムドア開放スイッチ
１９  送出口
２０  フイルムドア
２０ａ  パック在否確認窓
２０ｂ,２０ｃ，３５＿１，３５＿２  バネ部材
２１  電池蓋
２２  パック室
２４  爪（クロー）
３０  媒体搬送展開部
３１,３２  搬送ローラ
３３,３４  展開ローラ
３６，３７  制御板
３８  フイルム案内フレーム
３９  ギア列
５１  箱体
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４,３０５,３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
５００  インスタントフイルムパック
５０１  インスタントフィルムパックの表面
５０１ａ，５０１ｂ  開口
５０２  インスタントフイルムパックの端面
５０３  インスタントフィルム送出口
５０４  遮光シール
５０５  インスタントフィルムパックの裏面
５０５ａ  確認窓
５０５ｂ，５０５ｃ  マーク
６００  フイルム飛出部材
７００  部材移動機構
７００ａ  端部
８００  クロー作動部材
８００ａ  傾斜部
９００  カム
１００１，１００２，１００３  インスタントフイルムシート
１００１＿１  露光面
１００１＿２  観察面
１００１ａ  現像溜まり
１００１ｂ  露光部
１００１ｃ，１００１ｆ  余白部
１００１ｄ  トラップ部
１００１ｅ  観察部
【図１】
2007055151.tif 000003
【図２】
2007055151.tif 000004
【図３】
2007055151.tif 000005
【図４】
2007055151.tif 000006
【図５】
2007055151.tif 000007
【図６】
2007055151.tif 000008
【図７】
2007055151.tif 000009
【図８】
2007055151.tif 000010
【図９】
2007055151.tif 000011
【図１０】
2007055151.tif 000012
【図１１】
2007055151.tif 000013
【図１２】
2007055151.tif 000014
【図１３】
2007055151.tif 000015
【図１４】
2007055151.tif 000016